(57)【特許請求の範囲】
【請求項１】
配線器具の取付用として施工面に形成した取付孔を覆うように施工面に固定される配線器具用プレートであって、施工面に後面が当接するプレートボディと、プレートボディの前面を覆う形でプレートボディに着脱可能に覆着され施工面に貼設されたクロスのうち取付孔の周部をプレートボディの周部との間に挟む化粧プレートとを備え、化粧プレートにはプレートボディの周部に開口する組立孔に挿入される組立脚が後方に突設され、組立脚の先端部にはプレートボディと化粧プレートとの間にクロスを挟んだ状態で組立孔の後端周縁に係止される引掛爪が突設され、組立脚の中間部であって引掛爪が突設されている面は平面状に形成され、前記プレートボディの周面は前後方向に沿った面であって、前記化粧プレートは前記周面の全周に亘って重複する周壁を有し、プレートボディの周面における複数箇所には、プレートボディの後面と化粧プレートの後面とが面一になるときに化粧プレートの周壁の内側面が重なるとともにプレートボディと化粧プレートとの間にクロスを挟んだときに化粧プレートの周壁内側面が重ならないように厚み寸法が設定された突片が突設され、各突片の先端面には、化粧プレートの周壁の内側面が重なったときに化粧プレートの周壁内側面に圧接する圧入リブがそれぞれ突設されていることを特徴とする配線器具用プレート。
【請求項２】
前記プレートボディの周面の輪郭が矩形状であって、前記圧入リブがプレートボディの周面である４面にそれぞれ設けられていることを特徴とする請求項１記載の配線器具用プレート。
【請求項３】
前記圧入リブの前端部には後方に向かってプレートボディの周面からの突出寸法が大きくなる案内用傾斜面が設けられていることを特徴とする請求項１または請求項２記載の配線器具用プレート。
【請求項４】
配線器具の取付用として施工面に形成した取付孔を覆うように施工面に固定される配線器具用プレートであって、施工面に後面が当接するプレートボディと、プレートボディの前面を覆う形でプレートボディに着脱可能に覆着され施工面に貼設されたクロスのうち取付孔の周部をプレートボディの周部との間に挟む化粧プレートとを備え、化粧プレートにはプレートボディの周部に開口する組立孔に挿入される組立脚が後方に突設され、組立脚の先端部にはプレートボディと化粧プレートとの間にクロスを挟んだ状態で組立孔の後端周縁に係止される引掛爪が突設され、組立脚の中間部であって引掛爪が突設されている面は平面状に形成され、前記プレートボディの周面は前後方向に沿った面であって、前記化粧プレートは前記周面の全周に亘って重複する周壁を有し、プレートボディの周面における複数箇所には、プレートボディの後面と化粧プレートの後面とが面一になるときに化粧プレートの周壁の内側面が重なるとともにプレートボディと化粧プレートとの間にクロスを挟んだときに化粧プレートの周壁内側面が重ならないように厚み寸法が設定された突片が突設され、化粧プレートの周壁内側面における複数箇所には突片の先端面に重なるときに各突片の先端面に圧接する圧入リブがそれぞれ突設されていることを特徴とする配線器具用プレート。
【請求項５】
前記化粧プレートの周壁内側面の輪郭が矩形状であって、前記圧入リブが化粧プレートの周壁内側面の４面にそれぞれ設けられていることを特徴とする請求項４記載の配線器具用プレート。
【発明の詳細な説明】
【０００１】
【発明の属する技術分野】
本発明は、配線器具の取付用として施工面に形成した取付孔を覆うように施工面に固定される配線器具用プレートに関するものである。
【０００２】
【従来の技術】
一般に、埋込型の配線器具を壁面のような施工面に取り付ける際には、まず施工面に取付孔を形成し、施工面にクロスを貼設した後に配線器具を配置しようとする部位（つまり、取付孔に対応する部位）でクロスを切って孔を開けている。ここで、配線器具を施工面に固定する際に取付孔の周部におけるクロスの切り口が不揃いであってクロスの一部が取付孔の内側に残っている場合には、配線器具を施工面に固定する前にクロスを取付孔に押し込む。配線器具を施工面に固定した後に配線器具用プレートを用いるのであって、配線器具用プレートは配線器具の一部を残して取付孔を覆うように施工面に固定される。
【０００３】
配線器具用プレートとしては、図２３に示すように、施工面に固定される枠状のプレートボディ１ｂと、配線器具の一部を露出させる窓孔２１を有しプレートボディ１ｂを覆う形でプレートボディ１ｂに結合される化粧プレート２とを備えるものが普及している。なお、化粧プレート２としては、取付孔から配線器具を除去した場合や予備用の取付孔を形成している場合に備えて、窓孔を備えていないブランクプレートも用意されている。
【０００４】
プレートボディ１ｂは、取付孔の周部において施工面との間にクロスを挟み込むことによって、クロスの切り口が不揃いであってもプレートボディ１ｂによって隠すとともにクロスを剥がれにくくする機能を有している。また、プレートボディ１ｂは一般にねじを用いて固定されるから、ねじ頭を隠して美麗な外観に仕上げるために、プレートボディ１ｂの前面を覆う化粧プレート２が用いられる。化粧プレート２は、ねじを用いることなくプレートボディ１ｂに結合するために、後方に突設された組立脚２５を備え、組立脚２５の後端部に引掛爪２５ａを備えている。つまり、化粧プレート２をプレートボディ１ｂに結合するには、プレートボディ１ｂの周部に設けた組立孔１５に組立脚２５を挿入するのであって、化粧プレート２の後面とプレートボディ１ｂの前面とが当接した状態において、組立脚２５の後端部に設けた引掛爪２５ａが組立孔１５の後端周縁に係止されるように組立脚２５および組立孔１５の寸法が設定されている。要するに、配線器具を施工面に固定した後に、プレートボディ１ｂを施工面に固定し、その後、化粧プレート２をプレートボディ１ｂに結合するのである。
【０００５】
上述した施工手順では、プレートボディと施工面との間にクロスを挟み込んでいるが、プレートボディと化粧プレートとの間にクロスを挟み込むように施工することも考えられている。この場合には、施工面に配線器具取付用の取付孔を形成して配線器具を施工面に固定した後に、施工面にクロスを貼設する前にプレートボディを施工面に固定する。さらに、プレートボディを施工面に固定した後にクロスを施工面に貼設して、クロスにおいて配線器具に対応する部位に孔を開け、最後に化粧プレートをプレートボディに結合するのである。
【０００６】
【発明が解決しようとする課題】
ところで、クロスを施工面に貼設した後にプレートボディを施工面に固定する前者の手順では、プレートボディに設けた組立孔がクロスで覆われることがないから、取付孔の周囲でクロスの切り口が不揃いであっても組立孔が露出しており、化粧プレートをプレートボディに結合する際にクロスによる支障は生じない。しかしながら、プレートボディを施工面に固定した後にクロスを施工面に貼設する後者の手順では、クロスの切り口が不揃いであると、クロスがプレートボディと化粧プレートとの間に挟み込まれて化粧プレートがプレートボディから浮き上り、引掛爪を組立孔に係止することができず化粧プレートをプレートボディに取り付けることができなくなる。つまり、現状の配線器具用プレートでは、クロスを切り取る許容範囲が狭くクロスを切り取る作業には熟練を要するという問題がある。
【０００７】
このような問題を解決するために、図２４に示すように、組立脚２５の側面に鋸歯状の凹凸部２５ｂを形成し、組立孔１５の後端周縁に複数箇所で係止可能とする構成が考えられる。つまり、クロスを用いない場合には図２４（ａ）のように組立脚２５の基部側を組立孔１５の周縁に係止し、クロスを用いる場合には図２４（ｂ）のように組立脚２５の先端部に設けた引掛爪２５ａを組立孔１５の周縁に係止するのである。あるいはまた、図２５に示すように、組立脚２５の側面を階段状に形成し、クロスを用いない場合には図２５（ａ）のように組立脚２５の基部側の段差部分を組立孔１５の周縁に係止し、クロスを用いる場合には図２５（ｂ）のように組立脚２５の先端部に設けた引掛爪２５ａを組立孔１５の周縁に係止する構成も考えられる。
【０００８】
しかしながら、図２４に示す構成では、クロスを用いない場合に引掛爪２５ａが組立孔１５の周壁を乗り越えた後も組立脚２５に曲げ応力が発生し、図２５に示す構成では、クロスを用いる場合に組立脚２５に曲げ応力が常時生じることになる。その結果、組立脚２５が破損しやすくなるという問題を有している。
【０００９】
本発明は上記事由に鑑みて為されたものであり、その目的は、プレートボディを施工面に取り付けた後にクロスを貼設する作業手順を採用する場合であってクロスの切り口が不揃いであっても化粧プレートをプレートボディに装着することができ、しかも組立脚が破損する可能性を低減した配線器具用プレートを提供することにある。
【００１０】
【課題を解決するための手段】
請求項１の発明は、配線器具の取付用として施工面に形成した取付孔を覆うように施工面に固定される配線器具用プレートであって、施工面に後面が当接するプレートボディと、プレートボディの前面を覆う形でプレートボディに着脱可能に覆着され施工面に貼設されたクロスのうち取付孔の周部をプレートボディの周部との間に挟む化粧プレートとを備え、化粧プレートにはプレートボディの周部に開口する組立孔に挿入される組立脚が後方に突設され、組立脚の先端部にはプレートボディと化粧プレートとの間にクロスを挟んだ状態で組立孔の後端周縁に係止される引掛爪が突設され、組立脚の中間部であって引掛爪が突設されている面は平面状に形成され、前記プレートボディの周面は前後方向に沿った面であって、前記化粧プレートは前記周面の全周に亘って重複する周壁を有し、プレートボディの周面における複数箇所には、プレートボディの後面と化粧プレートの後面とが面一になるときに化粧プレートの周壁の内側面が重なるとともにプレートボディと化粧プレートとの間にクロスを挟んだときに化粧プレートの周壁内側面が重ならないように厚み寸法が設定された突片が突設され、各突片の先端面には、化粧プレートの周壁の内側面が重なったときに化粧プレートの周壁内側面に圧接する圧入リブがそれぞれ突設されていることを特徴とする。
【００１３】
請求項２の発明は、請求項１の発明において、前記プレートボディの周面の輪郭が矩形状であって、前記圧入リブがプレートボディの周面である４面にそれぞれ設けられていることを特徴とする。
【００１４】
請求項３の発明は、請求項１または請求項２の発明において、前記圧入リブの前端部には後方に向かってプレートボディの周面からの突出寸法が大きくなる案内用傾斜面が設けられていることを特徴とする。
【００１５】
請求項４の発明は、配線器具の取付用として施工面に形成した取付孔を覆うように施工面に固定される配線器具用プレートであって、施工面に後面が当接するプレートボディと、プレートボディの前面を覆う形でプレートボディに着脱可能に覆着され施工面に貼設されたクロスのうち取付孔の周部をプレートボディの周部との間に挟む化粧プレートとを備え、化粧プレートにはプレートボディの周部に開口する組立孔に挿入される組立脚が後方に突設され、組立脚の先端部にはプレートボディと化粧プレートとの間にクロスを挟んだ状態で組立孔の後端周縁に係止される引掛爪が突設され、組立脚の中間部であって引掛爪が突設されている面は平面状に形成され、前記プレートボディの周面は前後方向に沿った面であって、前記化粧プレートは前記周面の全周に亘って重複する周壁を有し、プレートボディの周面における複数箇所には、プレートボディの後面と化粧プレートの後面とが面一になるときに化粧プレートの周壁の内側面が重なるとともにプレートボディと化粧プレートとの間にクロスを挟んだときに化粧プレートの周壁内側面が重ならないように厚み寸法が設定された突片が突設され、化粧プレートの周壁内側面における複数箇所には突片の先端面に重なるときに各突片の先端面に圧接する圧入リブがそれぞれ突設されていることを特徴とする。
【００１６】
請求項５の発明は、請求項４の発明において、前記化粧プレートの周壁内側面の輪郭が矩形状であって、前記圧入リブが化粧プレートの周壁内側面の４面にそれぞれ設けられていることを特徴とする。
【００１７】
【発明の実施の形態】
以下に説明する実施形態では、プレートボディが配線器具の器体の一部に一体化された例を示すが、この点は本質的なことではなく、配線器具とは別体であるプレートボディを用いることも可能である。また、配線器具としてコンセントを例示するが、スイッチのような他の配線器具を用いる場合であっても本発明の技術思想は適用可能である。
【００１８】
（第１実施形態）
本実施形態において説明する配線器具は、２個口のコンセントであって、図１６ないし図１８に示すように、導電部材を収納したボディ３と、ボディ３に結合されてコンセントの器体４を構成するカバープレート１と、カバープレート１とともに配線器具用プレート５を構成する化粧プレート２とを備える。ボディ３，カバープレート１、化粧プレート２はいずれも合成樹脂成形品からなる。
【００１９】
ボディ３は前面が開口した直方体状に形成され、導電部材としては、プラグの接触子に電気的に接続される接続用部材と、接続用部材に電気的に接続され外部電線が接続される端子用部材と収納される。端子用部材としては、ボディ３の後壁に開口した電線挿入孔（図示せず）に挿通された電線が板ばねからなる鎖錠ばねのばね力を用いて機械的かつ電気的に接続される速結端子を用いている。
【００２０】
カバープレート１は、図４ないし図８に示すように、ボディ３の前面を覆うカバー１ａと、カバー１ａの側面前端部に全周に亘って鍔状に突設されたプレートボディ１ｂと、プレートボディ１ｂの前面に突設された突台１ｃとを連続一体に備える。ボディ３とカバープレート１とは、ボディ３の後面から挿入されカバープレート１の内側面に螺合する組立ねじ（図示せず）を用いて結合される。つまり、図１３ないし図１５に示すように、ボディ３にカバープレート１が結合されることによって器体４が構成される。図２に示すように、突台１ｃには前面が開放され略円形に開口する２個のプラグ受け凹所１１ａが形成されている。図４において左右方向に並ぶ２個のプラグ受け凹所１１ａは互いに接しており、両プラグ受け凹所１１ａの間は連通している。各プラグ受け凹所１１ａの底面にはそれぞれ３個の接触子挿入孔１２ａ〜１２ｃが開口する。２個の接触子挿入孔１２ａ，１２ｂは、平板状の接触子（いわゆる、平行栓刃）が挿入可能な第１挿入部１２ｘと、断面円形の接触子（いわゆる、丸ピン）が挿入可能な第２挿入部１２ｙとが連続した形状に形成される。接触子挿入孔１２ｃは、第１挿入部１２ｘに差し込まれるプラグが接地極を有する３ピンプラグ（いわゆる、ＢＳ型）である場合に備えて設けられ、接地極となる接触子（丸ピン）が挿入される。さらに、プラグ受け凹所１１ａの周面の２箇所には接地ばね１３が露出し、第２挿入部１２ｙに差し込まれる接触子を有し側面に接地極が露出するプラグ（いわゆる、Ｃ型）を用いる場合に、接地ばね１３がプラグの接地極に弾接するようにしてある。
【００２１】
突台１ｃにおいて図４の左右方向の両端部であってプレートボディ１ｂに跨る部位にはねじ受け凹所１１ｂが形成されている。ねじ受け凹所１１ｂの底面はプラグ受け凹所１１ａの底面よりも前方であって、プレートボディ１ｂの前面よりも後方に位置する。ねじ受け凹所１１ｂはプラグ受け凹所１１ａに接しており、ねじ受け凹所１１ｂとプラグ受け凹所１１ａとの間は連通している。また、ねじ受け凹所１１ｂの底面にはねじ受け凹所１１ｂの内周縁にほぼ相似となる上下方向に長い長孔状のねじ用孔１４が形成されている。さらに、プレートボディ１ｂにおいてねじ受け凹所１１ｂの上方と下方とにはそれぞれ組立孔１５が開口する。
【００２２】
ここに、プレートボディ１ｂの周部には全周に亘って、外周側ほどプレートボディ１ｂの後面との距離を小さくするように傾斜した傾斜面１６（図１、図８参照）が形成される。プレートボディ１ｂの外周には前後方向に沿った立ち上げ面１７が形成され、立ち上げ面１７の前端縁が傾斜面１６の外周縁と交差する。立ち上げ面１７の輪郭は長方形の角部に面取りを施した形状であって、立ち上げ面１７の後部において４つの直線部分に対応する部位にはそれぞれ突片１８が突設される。つまり、立ち上げ面１７と突片１８の先端面とがプレートボディ１ｂの周面になる。突片１８の先端面は前後方向に沿った面であって、各突片１８の先端面にはそれぞれ複数個の圧入リブ１９が突設される。図３に示すように、各圧入リブ１９は前後方向（図３の上下方向）に延長されており、各圧入リブ１９の前部にはそれぞれ後方に向かって突片１８の先端面からの突出寸法を大きくする案内用傾斜面１９ａが設けられる。４つの突片１８のうち、図４における下側の突片１８の左右両端部には下向きに外し台１８ｂが突設される。外し台１８ｂの機能については後述する。
【００２３】
一方、化粧プレート２は、図９ないし図１２に示すように、カバープレート１に設けた突台１ｃの外周縁に沿った矩形状に開口する窓孔２１を有した矩形枠状に形成される。すなわち、化粧プレート２は前壁２２の中央部に窓孔２１が開口し、前壁２２の外周縁の全周に亘って周壁２３が後方に延設された形状に形成されている。窓孔２１の内周縁にはねじ受け凹所１１ｂの一部を覆うように覆い片２１ａが突設される。すなわち、カバープレート１に設けたプラグ受け凹所１１ａとねじ受け凹所１１ｂとは連続しており、ねじ受け凹所１１ｂの一部は突台１ｃの一部を切欠する形で形成されているから、覆い片２１ａは突台１ｃの切欠部分に挿入されるように形成される。周壁２３の内側面はプレートボディ１ｂの輪郭に沿った矩形状であって、突片１８の先端面に当接可能となるように前後方向に沿って形成されている。また、化粧プレート２の内側面であって前壁２２と周壁２３とが連続する部位には各突片１８の前面に２個ずつ当接可能な位置決めリブ２４が突設される。さらに、化粧プレート２において図１０の下側の周壁２３には、カバープレート１の外し台１８ｂが挿入される外し溝２３ａが切欠されている。
【００２４】
ところで、図１０に示すように、化粧プレート２における窓孔２１の周部にはカバープレート１に設けた各組立孔１５にそれぞれ挿入される４個の組立脚２５が突設され、図１に示すように、各組立脚２５の後端部（組立脚２５の先端部）には組立孔１５の後端周縁に係止可能な引掛爪２５ａが設けられる。また、組立脚２５の中間部であって引掛爪２５ａを設けた面は平面状に形成され、組立孔１５の内周面に弾接しない形状としてある。化粧プレート２の周壁２３がプレートボディ１ｂの突片１８に重なった位置（つまり、プレートボディ１ｂの後面と化粧プレート２の後面とが面一になり、突片１８の先端面と周壁２３の内側面とが重なった位置）では、引掛爪２５ａは組立孔１５の周縁に係止されず、上述の位置に対して化粧プレート２がプレートボディ１ｂから前方に所定距離だけ離れた位置で引掛爪２５ａが組立孔１５に係止されるように係止孔１５と組立脚２５との寸法関係が設定されている。この所定距離は施工面に貼設される一般的なクロスの厚み寸法程度に設定される。したがって、クロスをプレートボディ１ｂと化粧プレート２との間に挟んだときに、係止孔１５の周縁に引掛爪２５ａが係止されて化粧プレート２がカバープレート１に対してがたつきなく固定される。このとき、化粧プレート２の周壁２３の内側面が突片１８の先端面に重複しないように突片１８の前後方向の厚み寸法が設定される。さらに、この状態でプレートボディ１ｂに設けた傾斜面１６と化粧プレート２の前壁２２との間にクロスを挿入可能とする程度の隙間が形成されるようにプレートボディ１ｂと化粧プレート２との寸法関係が設定される。ここで、圧入リブ１９はクロスの裏面に当接するから圧入リブ１９はクロスの滑り止めとしても機能する。
【００２５】
クロスの厚み寸法が比較的小さい場合には、化粧プレート２は引掛爪２５ａが係止孔１５に係止された位置に固定されないことがあるが、引掛爪２５ａが設けられていることによって化粧プレート２がカバープレート１から脱落することは防止される。また、カバープレート１に設けた突片１８の先端面には圧入リブ１９が突設されており、化粧プレート２がカバープレート１に深くはまり込んでカバープレート１と化粧プレート２との間にクロスを挟まないときには、圧入リブ１９が化粧プレート２の周壁２３の内側面に圧接するから、圧入リブ１９と化粧プレート２との間の摩擦力によって化粧プレート２がカバープレート１に保持される。ここに、圧入リブ１９において案内用傾斜面１９ａの後端は、プレートボディ１ｂの後面から一般的なクロスの厚み寸法程度離れている。つまり、案内用傾斜面１９ａを設けていることにより化粧プレート２をプレートボディ１ｂにはめ込みやすく、また案内用傾斜面１９ａだけでは化粧プレート２を十分な力で保持することはできないが、化粧プレート２の周壁２３が圧入リブ１９のうちの案内用傾斜面１９ａにのみ当接しているときには引掛爪２５ａが組立孔１５に係止されるので、圧入リブ１９に案内用傾斜面２５ａを設けたことによって化粧プレート２の保持力が低下することはない。
【００２６】
上述のように、組立脚２５には先端部に引掛爪２５ａを突設しているが、組立脚２５の中間部には突出部分を設けていないから、化粧プレート２をプレートボディ１ｂに着脱するときを除いて組立脚２５に曲げ応力が生じることはない。つまり、化粧プレート２をプレートボディ１ｂに装着した状態で組立脚２５に応力が常時生じるということがなく、クロスの有無に対応可能とした従来構成に比較して組立脚２５の破損の可能性が大幅に低減される。
【００２７】
引掛爪２５ａは上下方向に並ぶ各組立脚２５において互いに他方の組立脚２５から離れる向きに突出する。要するに、上側の組立脚２５では引掛爪２５ａが上向きに突出し、下側の組立脚２５では引掛爪２５ａが下向きに突出する。このような関係を採用しているのは、カバープレート１と化粧プレート２との材料の収縮率が異なることに考慮しているのであって、本実施形態ではカバープレート１に化粧プレート２よりも収縮率の大きい材料を用いている。つまり、カバープレート１は導電部材を収納するから絶縁性や耐トラッキング性のような電気的特性を考慮した材料により形成され、化粧プレート２は成形性や耐衝撃性に考慮した材料により形成されるのであって、本実施形態では、カバープレート１が化粧プレート２よりも収縮率の大きい材料の組合せになっている。ここに、収縮の原因は、金型寸法に対する成形品寸法の収縮のほか温度変化や経年変化による収縮もある。そこで、引掛爪２５ａを上述のように設けることにより、カバープレート１と化粧プレート２との収縮時に引掛爪２５ａが係合孔１５に収縮前よりも深く食い込むようにし、わずかな衝撃で化粧プレート２がカバープレート１から脱落するのを防止している。
【００２８】
化粧プレート２をカバープレート１から取り外すには、外し溝２３ａと外し台１８ｂとの間にマイナスドライバの先端部のような工具を差し込み、工具の先端を突片１８に当接させた状態でカバープレート１から化粧プレート２を外す向きの力を加えればよい。ここに、突片１８において工具の先端が当接する部位には工具の先端部が差し込まれて工具の滑り止めになる切欠が形成されている。
【００２９】
上述の実施形態では、４つの突片１８のすべてに圧入リブ１９を形成した例を示したが、圧入リブ１９が複数箇所に設けられていればよく、プレートボディ１ｂの平行な２辺に設けた２つの突片１８にのみ圧入リブ１９を設けるようにしてもよい。ここに、左右方向の立ち上げ面１７に設けた突片１８は上下方向の立ち上げ面１７に設けた突片１８よりも長寸であるから、左右方向の立ち上げ面１７に設けた２つの突片１８に圧入リブ１９を形成するほうが、化粧プレート２との間の摩擦力を均等に作用させることができる点で望ましい。
【００３０】
（第２実施形態）
第１実施形態では、カバープレート１に圧入リブ１９を設ける例を示したが、本実施形態は、図１９および図２０に示すように、化粧プレート２の周壁２３の内側面に圧入リブ２６を突設したものである。また、本実施形態ではカバープレート１と化粧プレート２との収縮率が同程度の場合を想定して、上下２個の組立脚２５について互いに他方の組立脚２５に近付く向きに引掛爪２５ａを突設している。ただし、第１実施形態と同様にカバープレート１と化粧プレート２との収縮率の関係によっては、化粧プレート２の外周側に向かって引掛爪２５ａを突設してもよい。圧入リブ２６は化粧プレート２の周壁２３の４辺にそれぞれ設けてあり、第１実施形態と同様の効果を奏する。なお、圧入リブ２６の後部に案内用傾斜面（図示せず）を設けてもよい。
【００３１】
本実施形態の構成では第１実施形態に比較して化粧プレート２の成形はやや難しくなるがほぼ同様に機能し、クロスを用いない場合にはプレートボディ１ｂに設けた突片１８の先端面に圧入リブ２６を圧接させ、化粧プレート２の周壁２３の内側面と圧入リブ２６との摩擦力を用いて化粧プレート２をカバープレート１に保持させることができる。また、第１実施形態と同様に、圧入リブ２６は化粧プレート２の周壁２３の４面すべてに設けなくてもよく、複数箇所に圧入リブ２６を設ければクロスを用いない場合でも化粧プレート２をカバープレート１に保持させることができる。ここに、左右方向の立ち上げ面１７に設けた突片１８は上下方向の立ち上げ面１７に設けた突片１８よりも長寸であるから、図２１および図２２に示すように、左右方向の立ち上げ面１７に設けた２つの突片１８に圧接するように圧入リブ２６を形成するほうが、化粧プレート２との間の摩擦力を均等に作用させることができる点で望ましい。
【００３２】
【発明の効果】
請求項１の発明の構成によれば、化粧プレートに設けた組立脚に突設された引掛爪が、プレートボディと化粧プレートとの間にクロスを挟んだ状態で、プレートボディに設けた組立孔の後端周縁に係止されるので、プレートボディを施工面に取り付けた後にクロスを貼設する作業手順であってプレートボディと化粧プレートとの間にクロスを挟み込んでいる場合であっても、化粧プレートの組立脚に設けた引掛爪をプレートボディの組立孔の後端周縁に係止させることができ、結果的に化粧プレートとプレートボディに保持させることができる。しかも、組立脚の先端部に引掛爪が突設されているのであって、化粧プレートをプレートボディに対して着脱するとき以外には組立脚に曲げ応力が生じないから、組立脚の破損の可能性を大幅に低減することができる。
【００３４】
しかも、クロスを用いない場合や厚み寸法が比較的小さいクロスを用いる場合であって引掛爪が組立孔の周部に係止されていない状態でも、圧入リブが化粧プレートに設けた突片の先端面に圧接することによる摩擦力でプレートボディに化粧プレートを保持させることができる。しかも、化粧プレートの位置がプレートボディに対してずれたとしても引掛爪が組立孔に引掛かるから化粧プレートがプレートボディから脱落することがない。
【００３５】
請求項２の発明のように、前記プレートボディの周面の輪郭が矩形状であって、前記圧入リブがプレートボディの周面である４面にそれぞれ設けられているものでは、圧入リブはクロスの裏面に接触して滑り止めとして機能するから、配線器具用プレートの全周に亘ってクロスの位置ずれを防止することができる。
【００３６】
請求項３の発明のように、前記圧入リブの前端部に後方に向かってプレートボディの周面からの突出寸法が大きくなる案内用傾斜面が設けられているものでは、化粧プレートの周壁内に案内用傾斜面に沿って圧入リブが導入され、化粧プレートをプレートボディに取り付ける作業が容易になる。
【００３７】
請求項４の発明の構成によれば、クロスを用いない場合や厚み寸法が比較的小さいクロスを用いる場合であって引掛爪が組立孔の周部に係止されていない状態でも、圧入リブがプレートボディの周面に突設された突片に圧接することによる摩擦力でプレートボディに化粧プレートを保持させることができる。しかも、化粧プレートの位置がプレートボディに対してずれたとしても引掛爪が組立孔に引掛かるから化粧プレートがプレートボディから脱落することがない。
【００３８】
請求項５の発明のように、前記化粧プレートの周壁内側面の輪郭が矩形状であって、前記圧入リブが化粧プレートの周壁内側面の４面にそれぞれ設けられているものでは、前記圧入リブがプレートボディの周面である４面にそれぞれ設けられているのであって、圧入リブはクロスの裏面に接触して滑り止めとして機能するから、配線器具用プレートの全周に亘ってクロスの位置ずれを防止することができる。
【図面の簡単な説明】
【図１】  本発明の第１実施形態を示す要部断面図である。
【図２】  同上の化粧プレートを外した斜視図である。
【図３】  同上の要部斜視図である。
【図４】  同上に用いるカバープレートを示す正面図である。
【図５】  同上に用いるカバープレートを示す下面図である。
【図６】  同上に用いるカバープレートを示す背面図である。
【図７】  同上に用いるカバープレートを示す側面図である。
【図８】  図４中Ａ−Ａ線断面図である。
【図９】  同上に用いる化粧プレートを示す平面図である。
【図１０】  同上に用いる化粧プレートを示す背面図である。
【図１１】  同上に用いる化粧プレートを示す側面図である。
【図１２】  図１０中Ａ−Ａ線断面図である。
【図１３】  同上において化粧プレートを外した正面図である。
【図１４】  同上において化粧プレートを外した平面図である。
【図１５】  同上において化粧プレートを外した側面図である。
【図１６】  同上の正面図である。
【図１７】  同上の平面図である。
【図１８】  同上の側面図である。
【図１９】  本発明の第２実施形態に用いる化粧プレートの斜視図である。
【図２０】  図１９の要部斜視図である。
【図２１】  本発明の第２実施形態に用いる化粧プレートの他例を示す斜視図である。
【図２２】  図２１の要部斜視図である。
【図２３】  従来例を示す要部断面図である。
【図２４】  他の従来例を示す要部断面図である。
【図２５】  別の従来例を示す要部断面図である。
【符号の説明】
１  カバープレート
１ｂ  プレートボディ
２  化粧プレート
３  ボディ
４  器体
５  配線器具用プレート
１５  組立孔
１８  突片
１９  圧入リブ
１９ａ  案内用傾斜面
２３  周壁
２５  組立脚
２５ａ  引掛爪
２６  圧入リブ
【図１】
0003861670.tif 000002
【図２】
0003861670.tif 000003
【図３】
0003861670.tif 000004
【図４】
0003861670.tif 000005
【図５】
0003861670.tif 000006
【図６】
0003861670.tif 000007
【図７】
0003861670.tif 000008
【図８】
0003861670.tif 000009
【図９】
0003861670.tif 000010
【図１０】
0003861670.tif 000011
【図１１】
0003861670.tif 000012
【図１２】
0003861670.tif 000013
【図１３】
0003861670.tif 000014
【図１４】
0003861670.tif 000015
【図１５】
0003861670.tif 000016
【図１６】
0003861670.tif 000017
【図１７】
0003861670.tif 000018
【図１８】
0003861670.tif 000019
【図１９】
0003861670.tif 000020
【図２０】
0003861670.tif 000021
【図２１】
0003861670.tif 000022
【図２２】
0003861670.tif 000023
【図２３】
0003861670.tif 000024
【図２４】
0003861670.tif 000025
【図２５】
0003861670.tif 000026